【手続補正書】
【提出日】平成25年11月1日(2013.11.1)
【手続補正１】
【補正対象書類名】特許請求の範囲
【補正対象項目名】全文
【補正方法】変更
【補正の内容】
【特許請求の範囲】
【請求項１】
設定されたフレームレートの動画データを出力する撮像手段と、
前記撮像手段により得られた動画データを記憶するメモリと、
記録開始の指示に応じて前記撮像手段により得られた動画データを記録媒体に記録する記録手段と、
前記撮像手段から出力された動画データの前記記録開始の指示に対応するフレームから前記記録手段による記録を開始する第１の記録モードと、前記撮像手段により出力された動画データを前記記録開始の指示があるまで繰り返し前記メモリに記憶すると共に、前記記録開始の指示に応じて、前記メモリに記憶された動画データのうち前記記録開始の指示の所定の時間前に対応したフレームから前記記録手段による記録を開始する第２の記録モードのうちのいずれかを記録モードとして設定するモード設定手段と、
前記フレームレートを設定するフレームレート設定手段と、
前記第２の記録モードにおいて、前記設定手段により、前記複数のフレームレートのうち所定のフレームレートよりも高いフレームレートが設定されないようにする制御手段とを備える記録装置。
【請求項２】
設定可能な複数のフレームレートの情報を表示装置に表示する表示手段を備え、
前記設定手段は、前記表示手段に表示されたフレームレートからユーザがフレームレートを指定する手段を有し、
前記制御手段は、前記第２の記録モードにおいて、前記所定のフレームレートよりも高いフレームレートの情報を表示しないように前記表示手段を制御することを特徴とする請求項１に記載の記録装置。
【請求項３】
前記制御手段は、前記第１の記録モードにおいて前記所定のフレームレートよりも高いフレームレートが設定されている場合、当該第１の記録モードから前記第２の記録モードに変更されないように制御することを特徴とする請求項１または２に記載の記録装置。
【請求項４】
前記所定のフレームレートよりも高いフレームレートの動画データが前記メモリに記憶される場合の記録時間が、前記所定の時間よりも短いことを特徴とする請求項１から３の何れか１項に記載の記録装置。
【請求項５】
前記第２の記録モードにおける前記所定の記録時間を変更する変更手段を備え、前記制御手段は、前記第２の記録モードにおいて、前記メモリに記録される動画データの記録時間が前記変更手段により変更された記録時間よりも短くならないように、前記フレームレート設定手段によるフレームレートの設定を制御することを特徴とする請求項１に記載の記録装置。
【請求項６】
設定されたフレームレートの動画データを出力する撮像手段と、
前記撮像手段により得られた動画データを記憶するメモリと、
記録開始の指示に応じて前記撮像手段により得られた動画データを記録媒体に記録する記録手段と、
記録時間を設定する記録時間設定手段と、
前記撮像手段から出力された動画データの前記記録開始の指示に対応するフレームから前記記録手段による記録を開始する第１の記録モードと、前記撮像手段により出力された動画データを前記記録開始の指示があるまで繰り返し前記メモリに記憶すると共に、前記記録開始の指示に応じて、前記メモリに記憶された動画データのうち、前記記録開始の指示から前記記録時間設定手段により設定された記録時間だけ前に対応したフレームから前記記録手段による記録を開始する第２の記録モードのうちのいずれかを記録モードとして設定するモード設定手段と、
前記フレームレートを設定するフレームレート設定手段と、
前記フレームレート設定手段により設定されたフレームレートに基づいて前記記録時間設定手段による前記記録時間の設定処理を制御する制御手段とを備える記録装置。
【請求項７】
前記制御手段は、前記第２の記録モードにおいて、前記フレームレート設定手段により設定されたフレームレートが所定のフレームレートよりも高い場合、前記記録時間設定手段により、所定の記録時間よりも短い記録時間が設定されないようにすることを特徴とする請求項６に記載の記録装置。
【請求項８】
前記制御手段は、前記フレームレート設定手段により設定されたフレームレートに基づいて前記記録時間設定手段により設定可能な記録時間を決定し、前記記録時間設定手段が前記設定可能な記録時間から前記記録時間を設定するように制御することを特徴とする請求項６に記載の記録装置。
【請求項９】
前記制御手段は、前記第２の記録モードにおいて、前記フレームレート設定手段によりフレームレートが変更された場合、変更後のフレームレートに対応した、前記記録時間設定手段により設定可能な記録時間が、前記フレームレート設定手段によるフレームレートの変更前に設定されている記録時間よりも短くなる場合に、前記変更後のフレームレートに対応した記録時間への変更の問い合わせを行うことを特徴とする請求項８に記載の記録装置。
【請求項１０】
設定されたフレームレートの動画データを出力する撮像手段と、前記撮像手段により得られた動画データを記憶するメモリを備えた記録装置の制御方法において、
記録開始の指示に応じて前記撮像手段により得られた動画データを記録媒体に記録する記録ステップと、
前記撮像手段から出力された動画データの前記記録開始の指示に対応するフレームから前記記録ステップにおける記録を開始する第１の記録モードと、前記撮像手段により出力された動画データを前記記録開始の指示があるまで繰り返し前記メモリの所定の記憶領域に記憶すると共に、前記記録開始の指示に応じて、前記メモリに記憶された動画データのうち前記記録開始の指示の所定の時間前に対応したフレームから前記記録ステップによる記録を開始する第２の記録モードのうちのいずれかを記録モードとして設定するモード設定ステップと、
前記フレームレートを設定するフレームレート設定ステップと、
前記第２の記録モードにおいて、前記設定手段により、前記複数のフレームレートのうち所定のフレームレートよりも高いフレームレートが設定されないようにする制御ステップとを備える制御方法。
【請求項１１】
設定されたフレームレートの動画データを出力する撮像手段と、前記撮像手段により得られた動画データを記憶するメモリを備えた記録装置の制御方法において、
記録開始の指示に応じて前記撮像手段により得られた動画データを記録媒体に記録する記録ステップと、
記録時間を設定する記録時間設定ステップと、
前記撮像手段から出力された動画データの前記記録開始の指示に対応するフレームから前記記録ステップでの記録を開始する第１の記録モードと、前記撮像手段により出力された動画データを前記記録開始の指示があるまで繰り返し前記メモリの所定の記憶領域に記憶すると共に、前記記録開始の指示に応じて、前記メモリに記憶された動画データのうち、前記記録開始の指示から前記記録時間設定手段により設定された記録時間だけ前に対応したフレームから前記記録ステップによる記録を開始する第２の記録モードのうちのいずれかを記録モードとして設定するモード設定ステップと、
前記フレームレートを設定するフレームレート設定ステップと、
前記フレームレート設定ステップで設定されたフレームレートに基づいて前記記録時間設定ステップでの前記記録時間の設定処理を制御する制御ステップとを備える制御方法。
【手続補正２】
【補正対象書類名】明細書
【補正対象項目名】０００５
【補正方法】変更
【補正の内容】
【０００５】
【特許文献１】特開平７−９９６２８号公報
【手続補正３】
【補正対象書類名】明細書
【補正対象項目名】００１０
【補正方法】変更
【補正の内容】
【００１０】
上記本件発明の目的を達成するため、本発明における記録装置は、設定されたフレームレートの動画データを出力する撮像手段と、撮像手段により得られた動画データを記憶するメモリと、記録開始の指示に応じて撮像手段により得られた動画データを記録媒体に記録する記録手段と、撮像手段から出力された動画データの記録開始の指示に対応するフレームから記録手段による記録を開始する第１の記録モードと、撮像手段により得られた動画データを記録開始の指示があるまで繰り返しメモリに記憶すると共に、記録開始の指示に応じて、前記メモリに記憶された動画データのうち記録開始の指示の所定の時間前に対応したフレームから記録手段による記録を開始する第２の記録モードのうちのいずれかを記録モードとして設定するモード設定手段と、フレームレートを設定するフレームレート設定手段と、第２の記録モードにおいて、設定手段により、複数のフレームレートのうち所定のフレームレートよりも高いフレームレートが設定されないようにする制御手段とを備える。